(57)【特許請求の範囲】
【請求項１】
穀物乾燥室４を挟む熱風室３と排風室２を備えてなる乾燥機本体上部に設けた穀物タンク６を構成する前後方向に対向する第１タンクプレート６ａの群と左右方向に対向する第２タンクプレート６ｂの群からなるタンクプレートであって、前記各タンクプレート６ａ，６ｂは矩形の鋼板の上辺部を折曲して二重壁部となし、該二重壁部を用いて、前記穀物タンク６の外方側に向く水平壁７ａと該水平壁７ａ端部から下方に向くリブ壁７ｂをそれぞれ形成して上辺フランジ７となす一方、前記鋼板の下辺部を折曲して二重壁部となし、該二重壁部を用いて、前記穀物タンク６の下方側に向く自立壁８ａと該自立壁８ａ上部から前記穀物タンク６外方側に向く水平壁８ｂをそれぞれ形成し、さらに、前記自立壁８ａ上部から前記穀物タンク６外方側に向く前記水平壁８ｂ端部から下方に向くリブ壁８ｃを形成して下辺フランジ８となし、前記下辺フランジ８の鋼板の終端縁部を前記自立壁８ａの二重壁間で挟着して三重壁となすとともに、前記自立壁８ａ下端は前記下辺フランジ８のリブ壁８ｃ下端よりも下方に延伸させたことを特徴とする穀物乾燥機のタンクプレート。
【請求項２】
前記第１タンクプレート６ａの左右辺部を前記穀物タンク６の外側にそれぞれ折曲して筒状の摺動嵌合部１３を形成して左辺フランジ１０及び右辺フランジ９となすとともに、前記左辺フランジ１０及び右辺フランジ９に対してそれぞれ直角状に隣接する前記第２タンクプレート６ｂの各左右辺部を折曲して前記第１タンクプレート６ａの摺動嵌合部１３と嵌合させる左辺内側フランジ１２及び右辺内側フランジ１１を形成し、前記左辺内側フランジ１２及び右辺内側フランジ１１を前記第１タンクプレート６ａの摺動嵌合部１３内に上方からそれぞれ嵌入させるよう、前記各摺動嵌合部１３の全長にわたって開放部１４を設けてなる請求項１の穀物乾燥機のタンクプレート。
【請求項３】
前記第１タンクプレート６ａの摺動嵌合部１３の内径は前記第２タンクプレート６ｂの左右辺の各内側フランジ１１，１２の外径よりもやや大きく形成するとともに、前記摺動嵌合部１３及び前記左右辺の各内側フランジ１１，１２の各筒径が下方に向かって縮径するようテーパ状に形成してなる請求項２の穀物乾燥機のタンクプレート。
【発明の詳細な説明】
【技術分野】
【０００１】
本発明は、米麦等の穀物用乾燥機に係り、特に、穀物乾燥機の上部側にあって穀物を貯留する箱状の穀物タンクを構成するタンクプレートに関する。
【背景技術】
【０００２】
従来、この種の穀物乾燥機においては、例えば、特許文献１に記載されるように、乾燥部等が内蔵される乾燥機本体上に、前後左右に鋼板製のタンクプレート（パネル）を複数段組み上げて穀物タンク（上箱）を形成する際、各プレートの上下左右の４辺にそれぞれ形成したフランジ部（折曲壁）を使って上下左右側縁に隣接するプレートどうしを接合している。
【０００３】
ところで、前記フランジ部は、通常、タンクプレートを構成する鋼板よりも厚めの別部材を曲げ加工して形成し、これを前記タンクプレートの周囲４辺に溶着するとともに、前記フランジ部どうしの接合部を、該フランジ部に設けた接合用開口を介して、くさび金具及びくさび受金具やボルト・ナット等によって固着していた。
【０００４】
すなわち、特許文献１において（図１等参照）、前後方向に対向する一対の側板（長めのパネル）は、その各左右辺側のフランジ部の上下方向にそれぞれ凹溝を形成し、これら各凹溝間に左右方向の一対のタンクプレート（短めのパネル）の縦方向の両フランジ部をそれぞれ嵌入させて接合し、４枚のタンクプレートによる四角な囲い枠となす一方、これら４枚のタンクプレートの上辺に設けた各フランジ部（折曲壁）に、別の４枚のタンクプレートを四角な囲い枠に組み合わせてなるタンクプレートの各下辺に設けたフランジ部を上方から接合させる。前記下辺のフランジ部の外面側には、該フランジ部の補強のためと、下側タンクプレートのフランジ部との接合時の位置決めを容易にするために、全長にわたり下方に略直角に折り曲げてリブ壁が形成される。そして、前記各フランジ部における接合部は複数の接合用開口部を介して、くさび金具及びくさび受金具によって固着される。
【０００５】
上述したように、前記タンクプレートの製造には別部材によるフランジ部形成のための曲げ加工や接合用開口の孔あけ加工をするとともに該フランジ部の溶接を行うためコスト高を招き、該穀物乾燥機の現地組立作業においても、くさびやボルト等を用いてタンクプレートを組み立てる必要があり、その際、前記くさびやボルト等を誤って乾燥機本体底部に落下させる虞（おそれ）があるなど、煩わしい作業であった。
また、タンクプレートどうしの接合部にわずかなずれや隙間が生じると、穀物の円滑な流動に支障を来したり、気密性が損なわれたりして、穀物乾燥機能に支障を来すという問題があった。
【先行技術文献】
【特許文献】
【０００６】
【特許文献１】特開２００１−４１６５７号公報
【発明の概要】
【発明が解決しようとする課題】
【０００７】
本発明は、前記問題点にかんがみ、比較的板厚の大きな別部材をタンクプレート用鋼板に溶着してフランジを形成する必要がなく、また、組立時にはくさび等によって固定する手間が不要な穀物乾燥機のタンクプレートを提供することを目的とする。
【課題を解決するための手段】
【０００８】
上記目的を達成するため、本発明の穀物乾燥機のタンクプレートは、穀物乾燥室４を挟む熱風室３と排風室２を備えてなる乾燥機本体上部に設けた穀物タンク６を構成する前後方向に対向する第１タンクプレート６ａの群と左右方向に対向する第２タンクプレート６ｂの群とからなり、前記第１及び第２タンクプレート６ａ，６ｂは矩形の鋼板の上辺部を折曲して二重壁部となし、該二重壁部を用いて、前記穀物タンク６の外方側に向く水平壁７ａと該水平壁７ａ端部から下方に向くリブ壁７ｂをそれぞれ形成して上辺フランジ７となす一方、前記鋼板の下辺部を折曲して二重壁部となし、該二重壁部を用いて、前記穀物タンク６の下方側に向く自立壁８ａと該自立壁８ａ上部から前記穀物タンク６外方側に向く水平壁８ｂをそれぞれ形成し、さらに、前記自立壁８ａ上部から前記穀物タンク６外方側に向く前記水平壁８ｂ端部から下方に向くリブ壁８ｃを形成して下辺フランジ８となし、前記下辺フランジ８の鋼板の終端縁部を前記自立壁８ａの二重壁間で挟着して三重壁となすとともに、前記自立壁８ａ下端は前記下辺フランジ８のリブ壁８ｃ下端よりも下方に延伸させたことを特徴とする。  
【００１０】
また、上記目的を達成するため、前記第１タンクプレートの左右辺部を前記穀物タンクの外側にそれぞれ折曲して筒状の摺動嵌合部を形成して左辺フランジ及び右辺フランジとなすとともに、前記左辺フランジ及び右辺フランジに対してそれぞれ直角状に隣接する前記第２タンクプレートの各左右辺部を折曲して前記第１タンクプレートの摺動嵌合部と嵌合させる左辺内側フランジ及び右辺内側フランジを形成し、前記左辺内側フランジ及び右辺内側フランジを前記第１タンクプレートの摺動嵌合部内に上方からそれぞれ嵌入させるよう、前記各摺動嵌合部の全長にわたって開放部を設けることを特徴とする。
【００１１】
前記第１タンクプレートの摺動篏合部の内径は前記第２タンクプレートの左右片の各内側フランジの外径よりもやや大きく形成するとともに、前記摺動篏合部及び前記左右片の各内側フランジの各筒径が下方に向かって縮径するようテーパ状に形成することが好ましい。
【発明の効果】
【００１２】
本発明は、鋼板の上下辺の端部をそれぞれ折曲して上辺と下辺のフランジとなしたので、別部材で形成したフランジ部を鋼板に溶着する必要がない。
また、前記各フランジは鋼板を折り曲げて二重壁として形成したので強固である。すなわち、この二重壁で形成した自立壁、水平壁及びリブ壁で形成した下辺フランジにおける空間に、上記同様に二重壁で形成した水平壁とリブ壁からなる上辺フランジを嵌入して密着接合するので、くさび類やボルト類で締着しなくても強度が保持できる。特に、前記自立壁が下方のタンクプレート側に延伸しているので接合部がより強固に支持され、下方のタンクプレートの上辺フランジに上方のタンクプレートの下辺フランジを嵌入した時点で上方のタンクプレートが自立するので該上方のタンクプレートが組立中に倒れることがなく、組立て作業が容易に行える。さらに、前記自立壁が下方側のタンクプレート上部に重合状に延伸しているので、タンクプレートどうしの接合部に隙間が生じたりズレが生じたりすることがなく、気密性が高く、また、穀粒の下方への流れが淀むことがない。
加えて、前記自立壁の一部を三重壁としたので強度がより増すとともに、該自立壁の下端を前記リブ壁の下端よりも下方に延伸することで、下方側のタンクプレートの上辺フランジをより強固に密着して保持することができる。
【００１４】
請求項２の発明においては、前記第１タンクプレートの左右のフランジに形成した摺動嵌合部に第２タンクプレートの左辺内側フランジ又は右辺内側フランジを摺動嵌入するだけで、くさびやボルト類を用いなくても第１タンクプレートと第２タンクプレートとを容易にかつ強固に接合することができる。
【００１５】
請求項３によれば、前記摺動嵌合部及び前記左辺内側フランジ又は右辺内側フランジを下方に向かって縮径するテーパ形状にしたので、第１タンクプレートと第２タンクプレートとの接合がより強固に密着されることになる。
【図面の簡単な説明】
【００１６】
【図１】本発明の実施の形態における穀物乾燥機の全体を示す正面図である。
【図２】前記穀物乾燥機の穀物タンクの斜視図と該穀物タンクを構成する２種類のタンクプレート（第１及び第２タンクプレート）の拡大斜視図である。
【図３】前記各タンクプレートにおける上辺フランジ及び下辺フランジを示す一部拡大断面図と、前記上辺フランジと下辺フランジとを互いに嵌合して接合した場合の断面図である。
【図４】前記第１タンクプレートの右辺フランジを示す一部拡大斜視図と前記第２タンクプレートの左辺内側フランジを示す一部拡大斜視図であり、これら第１タンクプレートと第２タンクプレートとを互いに接合させる場合の説明図を示すとともに（Ａ）、接合後の拡大断面図（Ｂ）を示す。
【図５】前記図４における第１タンクプレートと第２タンクプレートとの接合を正面視で示した説明図である。
【発明を実施するための形態】
【００１７】
本発明の実施の形態について説明する。
図１は、本発明の実施の形態における穀物乾燥機１の全体を示す正面図である。
本発明の実施の形態における穀物乾燥機１は、熱風室２と排風室３に挟まれた穀物乾燥室４等を備えてなる穀物乾燥部を内蔵した乾燥機本体５と、該乾燥機本体５に上載する穀物タンク６を一体に設け、前記穀物乾燥室４において前記熱風室２から排風室３へ通過する熱風を浴びた穀物を前記穀物タンク６へ還流するためのバケットエレベータ７を前記乾燥機本体５の前面側に立設する。
【００１８】
図２は前記穀物タンク６の斜視図であり、該穀物タンク６は、穀物乾燥機１の前後方向において互いに対向する複数の第１タンクプレート６ａと、同左右方向において互いに対向する複数の第２タンクプレート６ｂとからなり、これら第１タンクプレート６ａと第２タンクプレート６ｂとは矩形の鋼板によって形成され、両者の高さ寸法は同一であるが、長さ寸法は第２タンクプレート６ｂの方が第１タンクプレート６ａよりもやや大きい。
前記穀物タンク６は、一対の前記第１タンクプレート６ａと一対の前記第２タンクプレート６ｂとを互いに直角に接合して長方形の枠状体となすとともに、前記枠状体を複数段に積み重ねて形成される。
【００１９】
前記第１タンクプレート６ａ及び第２タンクプレート６ｂの各４辺、すなわち、上辺、下辺、左辺及び右辺には、それぞれ１枚の鋼板を折曲して一体的にフランジが形成される。
図３は前記各タンクプレート６ａ，６ｂにおける上辺フランジ７及び下辺フランジ８を示す一部拡大断面図である。
前記上辺フランジ７は、矩形の鋼板の上辺部を前記穀物タンク６の外側方向に折曲して二重壁部となし、該二重壁部を用いて、前記タンク６の外側方向に直角に折曲して水平壁７ａを形成するとともに、該水平壁７ａの端部寄りを更に下方へ直角に折曲してリブ壁７ｂを形成して断面が鉤（かぎ）状に構成される。
【００２０】
一方、前記下辺フランジ８は、前記鋼板の下辺部を前記穀物タンク６の外側方向に折曲して二重壁部となし、該二重壁部を用いて前記タンクの下方側に向く自立壁８ａを形成し、該自立壁８ａの上部から前記タンク６外方側に直角に折曲して水平壁８ｂを形成し、さらに、前記水平壁８ｂの端部から下方に直角に折曲してリブ壁８cを形成してなる。その際、前記自立壁８a、水平壁８b及びリブ壁８cの内壁面で形成される凹部は、前記上辺フランジ７の水平壁７a及びリブ壁７bと密着可能な大きさ及び形状となす。
また、前記下辺フランジ８の鋼板の終端縁部を前記自立壁８aの二重壁間で狭着して三重壁となすとともに、前記自立壁８aの下端位置は前記リブ壁８c下端位置よりも下方に延伸させることにより前記下辺フランジ８の強度が向上するとともに、前記上辺フランジ７との密着・保持力がより強固になる。
【００２１】
図４は前記第１タンクプレート６aの右辺フランジ９を示す一部拡大斜視図と前記第２タンクプレート６bの左辺内側フランジ１２を示す一部拡大斜視図である。
前記第１タンクプレート６aの左右辺部を前記穀物タンク６の外側方向にそれぞれ直角に折曲して第１折曲面９aを形成し、次いで、互いに離反し合う方向へ直角に折曲して第２折曲面９bを形成し、さらに、前記第１折曲面９aと平行になるようにそれぞれ直角に折曲して折曲面９cを形成した後、前記第２折曲面９bと平行になるようにそれぞれ直角に折曲して第４の折曲面９dを形成して断面が略長方形の一対の筒状体を形成する。そして、前記各筒状体の内部を摺動嵌合部１３となし、該摺動嵌合部１３を形成する前記第４折曲面９dには、その全長にわたって前記第２タンクプレート６b側に向く開放部１４をそれぞれ形成する。
【００２２】
一方、前記第２タンクプレート６bの左辺部を前記穀物タンク６の外側方向に直角に折曲して前記第１タンクプレート６aの右辺フランジ９における第２折曲面９bと平行となるよう直角に折曲して第１折曲面１２aを形成し、次いで、前記右辺フランジ９の第３折曲面９cと同方向へ直角に折曲して第２折曲面１２bを形成した後、前記右辺フランジ９の第４折曲面と同方向へ折曲して第３折曲面１２cを形成して断面が略長方形の筒状体を形成して左辺内側フランジ１２となす。
なお、右辺内側フランジ１１も前記左辺内側フランジ１２と同様に形成される。
ここで、前記左辺内側フランジ１２及び右辺内側フランジ１１は、前記第１タンクプレート６aの左辺フランジ１０及び右辺フランジ９にそれぞれ形成される摺動嵌合部１３と密着可能な大きさ及び形状となす。
【００２３】
また、前記第１タンクプレート６aの各摺動嵌合部１３の内径は前記第２タンクプレート６bの左辺内側フランジ１２及び右辺内側フランジ１１の各外径寸法よりもやや大きく形成するとともに、前記各摺動嵌合部１３及び前記左辺内側フランジ１２及び右辺内側フランジ１１の各筒径が下方に向かって縮径するようテーパ状に形成してなる。その際、前記第２タンクプレート６bの左辺内側フランジ１２及び右辺内側フランジ１１より前記摺動嵌合部１３のテーパ角をやや大きくするとよい。
【００２４】
本発明の実施の形態においては、第１タンクプレート６aの右辺フランジ９、同左辺フランジ１０、第２タンクプレート６bの右辺内側フランジ１１及び同左辺内側フランジ１２を断面長方形の角筒としたが、他の角筒や円筒での実施を排除するものではない。
【００２５】
前記乾燥機本体５上に穀物タンク６を組付けるには、第１タンクプレート６aの右辺フランジ９又は同左辺フランジ１０に形成される摺動嵌合部１３に第２タンクプレート６bの右辺内側フランジ１１又は同左辺内側フランジ１２を上方から摺動・嵌入させ、互いに密着させることにより第１タンクプレート６aと第２タンクプレート６bの接合を行う。その際、前記第２タンクプレート６ｂは、前記第１タンクプレート６ａの摺動嵌合部１３に設けた開放部１４沿って挿通する。また、前記各フランジは下細のテーパ形状であるので、より強固な密着度を達成できる。そのため、接合する互いのフランジをくさび類やボルト・ナット類で締着する必要がない。
【００２６】
上記の要領で、対向する一対の第１タンクプレート６aと一対の第２タンクプレート６bとを互いに接合し合って長方形の枠体を形成し、この枠体を前記穀物乾燥機本体５上に載置して下段枠体とする。この枠体は、小型の穀物乾燥機であれば数人で持ち上げることが可能であるが、大型機種の場合はクレーン等で吊り上げて前記穀物乾燥機本体５上に載置するとよい。
【００２７】
次に、前記同様に、一対の第１タンクプレート６aと一対の第２タンクプレート６bとの各右辺フランジ９と同左辺フランジ１０、及び右辺内側フランジ１１と同左辺内側フランジ１２を互いに接合させて中段となる枠体を形成し、該中段枠体を前記下段の枠体上に載置する。その際、前記中段枠体を構成する前記一対の第１タンクプレート６aと一対の第２タンクプレート６bの各下辺フランジ８の凹部を、前記下段枠体を構成する前記一対の第１タンクプレート６aと一対の第２タンクプレート６bの各上辺フランジ７に上方から嵌入させて密着状に接合する。以下、同様にして、前記中段の枠体上に上段の枠体を載置する。
なお、前記乾燥機本体５の外壁４面の上端縁部の形状も、前記第１タンクプレート６ａ及び第２タンクプレート６ｂの各上辺フランジ７の形状と同様に形成されており、前記外壁の上端縁部に、前記下段の枠体を形成する前記第１タンクプレート６ａ及び第２タンクプレート６ｂの各下辺フランジ８を嵌入・嵌合させるとよい。
以上、一対の第１タンクプレート６aと一対の第２タンクプレート６bを枠体状に形成し、これらを順次、組み上げて穀物タンク６を構築する場合について説明したが、前記乾燥機本体５上に前記第１タンクプレート６a及び第２タンクプレート６bを１枚ずつ引き上げて順次、組み立てていくこともできるのは言うまでもない。
【００２８】
以上述べたように、本発明の実施態様における第１タンクプレート６ａ及び第２タンクプレート６ｂの各フランジどうしを嵌合するだけで穀物タンク６を容易に組み立てることができる。また、従来、上段のタンクプレートと下段のタンクプレートとの接合部に生じた隙間は、下辺フランジ８の自立壁８ａにより塞がれることとなり（図３参照）、穀物の流下障害や隙間風が発生する懸念がない。
【産業上の利用可能性】
【００２９】
本発明の穀物乾燥機のタンクプレートは、組立作業が容易であり、かつ、堅牢であるので極めて利用価値が高い。
【符号の説明】
【００３０】
１        穀物乾燥機
２        熱風室
３        排風室
４        穀物乾燥室
５        乾燥機本体
６        穀物タンク
６ａ      第１タンクプレート
６ｂ      第２タンクプレート
７        上辺フランジ
８        下辺フランジ
９        右辺フランジ
９ａ      第１折曲面
９ｂ      第２折曲面
９ｃ      第３折曲面
９ｄ      第４折曲面
１０      左辺フランジ
１１      右辺内側フランジ
１２      左辺内側フランジ
１２ａ    第１折曲面
１２ｂ    第２折曲面
１２ｃ    第３折曲面
１３      摺動嵌合部
１４      開放部
【図１】
0006716090.tif 000002
【図２】
0006716090.tif 000003
【図３】
0006716090.tif 000004
【図４】
0006716090.tif 000005
【図５】
0006716090.tif 000006